(57)【要約】【課題】乾電池を什器やトレーなどに移して並べ替える手間を生じることなく、かつ余分な陳列スペースを占有することなく、まとめ買いや小口買いの消費者にそれぞれ適切に販売対応できる効率的な商品陳列を可能にし、さらに廃棄物の低減にも有効な乾電池収納箱を提供する。【解決手段】厚紙やダンボール等の型板を折り曲げて組み立てられる乾電池収納箱２０であって、箱体の背面側板部に折り曲げ線を介して連接する扉状上蓋部２４に吊り下げ用フック孔４１〜４４を設け、上記上蓋部２４に吊り下げ用タブを兼ねさせる。【選択図】図４
2007161280.tif 000002
【特許請求の範囲】
【請求項１】
厚紙やダンボール等の型板を折り曲げて組み立てられる乾電池収納箱であって、箱体の背面側板部に折り曲げ線を介して連接する扉状上蓋部を有するとともに、この上蓋部に吊り下げ用フック孔が設けられて、上記上蓋部が吊り下げ用タブを兼ねていることを特徴とする乾電池収納箱。
【請求項２】
請求項１において、上蓋部が所定の折り曲げ位置で二つ折りされるとともに、二つ折り状態で同位置に重なり合う吊り下げ用フック孔が形成されることを特徴とする乾電池収納箱。
【請求項３】
請求項１または２において、上蓋部の吊り下げ用タブを兼ねる部分に商品表示印刷が施されていることを特徴とする乾電池収納箱。
【請求項４】
請求項１〜３のいずれかにおいて、箱体の前面側板部を乾電池の収納高さよりも低く形成するとともに、上蓋部の先端側に連接する差し込み片で箱体の前面を塞ぐようにしたことを特徴とする乾電池収納箱。
【請求項５】
請求項１〜４のいずれかにおいて、全体が単一の型板で形成されていることを特徴とする乾電池収納箱。
【発明の詳細な説明】
【技術分野】
【０００１】
本発明は、厚紙やダンボール等の型板を折り曲げて組み立てられる乾電池収納箱に関する。
【背景技術】
【０００２】
乾電池は通常、適当な数量単位が箱入りの形で流通市場へ出荷される。このため、厚紙やダンボールなどの型板を折り曲げて組み立てられる乾電池収納箱が各種提供されている（特許文献１〜４参照）。
【０００３】
流通の末端である小売現場では、箱に収納された乾電池を消費者の需要に応じた形態で販売する。この場合、乾電池を多量にまとめ買いする消費者には収納箱ごと販売すればよいが、通常は、１本あるいは２本と言った小口買いの消費者に対応するため、什器やトレーなどに移して陳列・販売する場合が多い。
【０００４】
このため、従来の乾電池収納箱には、たとえば箱の蓋を剥がしやすくするミシン目を入れるなど、内容物である乾電池の取り出しを容易にする工夫が行われているものが多い。
【特許文献１】特開２００３−２９１９４３
【特許文献２】特開２００１−３５４２２７
【特許文献３】特許第３４０８７１７号
【特許文献４】実用新案登録第２６０６３４７号
【発明の開示】
【発明が解決しようとする課題】
【０００５】
従来の乾電池収納箱は、たとえば箱の蓋を剥がし易くするなどの工夫がされていたとしても、その箱から乾電池を什器やトレーなどに移して並べ替える手間（工数）が小売現場で大きな負担になっていた。
【０００６】
また、従来の乾電池収納箱は、輸送用包装材としての機能を目的としたものが主であって、被包装物である乾電池を小売現場で什器等に移した時点で用済みとなり、そのあとは廃棄物（ゴミ）として処理しなければならなかった。
【０００７】
什器やトレーなどに移して並べ替える手間を回避するためには、乾電池を収納箱に入れたままで陳列すればよいが、この場合は収納箱を平積みしなければならず、余分な陳列スペースが必要になるという問題が生じる。
【０００８】
本発明は以上のような問題を解決するものであって、その目的は、乾電池を什器やトレーなどに移して並べ替える手間を生じることなく、かつ余分な陳列スペースを占有することなく、まとめ買いや小口買いの消費者にそれぞれ適切に販売対応できる効率的な商品陳列を可能にし、さらに廃棄物の低減にも有効な乾電池収納箱を提供することにある。
【０００９】
本発明の上記以外の目的および構成については、本明細書の記述および添付図面からあきらかになるであろう。
【課題を解決するための手段】
【００１０】
本発明は次のような解決手段を提供する。  
（１）厚紙やダンボール等の型板を折り曲げて組み立てられる乾電池収納箱であって、箱体の背面側板部に折り曲げ線を介して連接する扉状上蓋部を有するとともに、この上蓋部に吊り下げ用フック孔が設けられて、上記上蓋部が吊り下げ用タブを兼ねていることを特徴とする乾電池収納箱。
【００１１】
（２）上記手段（１）において、上蓋部が所定の折り曲げ位置で二つ折りされるとともに、二つ折り状態で同位置に重なり合う吊り下げ用フック孔が形成されることを特徴とする乾電池収納箱。
【００１２】
（３）上記手段（１）または（２）において、上蓋部の吊り下げ用タブを兼ねる部分に商品表示印刷が施されていることを特徴とする乾電池収納箱。
【００１３】
（４）上記手段（１）〜（３）のいずれかにおいて、箱体の前面側板部を乾電池の収納高さよりも低く形成するとともに、上蓋部の先端側に連接する差し込み片で箱体の前面を塞ぐようにしたことを特徴とする乾電池収納箱。
【００１４】
（５）上記手段（１）〜（４）のいずれかにおいて、全体が単一の型板で形成されていることを特徴とする乾電池収納箱。
【発明の効果】
【００１５】
乾電池を什器やトレーなどに移して並べ替える手間を生じることなく、かつ余分な陳列スペースを占有することなく、まとめ買いや小口買いの消費者にそれぞれ適切に販売対応できる効率的な商品陳列を可能にし、さらに廃棄物の低減にも有効な乾電池収納箱を提供できる。
【００１６】
上記以外の作用／効果については、本明細書の記述および添付図面からあきらかになるであろう。
【発明を実施するための最良の形態】
【００１７】
図１は、本発明による乾電池収納箱の一実施形態を示す平面展開図である。また、図２はその組み立て状態を示す斜視図であって、（ａ）は箱の蓋を開けた状態を、（ｂ）は箱の蓋を閉じた状態をそれぞれ示す。
【００１８】
同図に示す乾電池収納箱２０は、全体が単一（１枚）の型板（図１）からなり、この型板が折り曲げられて矩形の箱（図２）に組み立てられるようになっている。型板には厚紙やダンボールなどが使用されている。
【００１９】
まず、図１に示す展開図について、図の下側を前側とし、上側を後側として説明する。同図に示すように、まず、前面側板部２３、底板部２１、背面側板部２２、扉状上蓋部２４が、谷折り線ａ２，ａ１，ａ４を介して前後方向に順次連接している。
【００２０】
底板部２１の前側端部中央には、横方向に係止スリット部４５が形成されている。
【００２１】
背面側板部２２の左右両側には、左側板部２６と右側板部２７が谷折り線ａ６，ａ７を介して連接している。左側板部２６は、その左側に前面左側中板部２８が谷折り線ａ８を介して連接している。また、その左側板部２６の前側には、底面左側上板部３０が谷折り線ａ１０を介して連接している。
【００２２】
同様に、右側板部２７は、その右側に前面右側中板部２９が谷折り線ａ９を介して連接している。また、その右側板部２７の前側には、底面右側上板部３１が谷折り線ａ１１を介して連接している。
【００２３】
前面側板部２３は、中間位置を横断する二重の谷折り線ａ３によって前面外板部２３１と前面内板部２３２とに区画され、前面内板部２３２の先端には係止突片部２３３が設けられている。この係止突片部２３３は、谷折り線ａ１〜ａ１１の折り曲げによって箱を組み立てたときに、上記係止スリット部４５に嵌入して係止されるようになっている。
【００２４】
扉状上蓋部２４の後側には、二重の谷折り線ａ５を介して差し込み片２５が連接している。また、扉状上蓋部２４の後側に近い位置で山折り線ｂ１が横断している。この山折り線ｂ１の前側と後側に２個所ずつ計４箇所にフック孔４１〜４４が設けられている。各フック孔４１〜４４は互いに同径であるとともに、前側のフック孔４１，４２と後ろ側のフック孔４３，４４とが山折り線ｂ１を挟んで対称となる位置に設けられている。フック孔４１，４２と４３，４４はそれぞれ、山折り線ｂ１に対して一定の間隔を置いた位置に穿設されている。
【００２５】
山折り線ｂ１は折り曲げ案内線（折り曲げ誘導線）であって、箱を組み立てる段階で折り曲げることはないが。この山折り線ｂ１によって扉状上蓋部２４が、前側の立ち上げ板部２４１と後側の折り返し板部２４２とに区画されている。
【００２６】
扉状上蓋部２４と差し込み片２５の境界には、円弧状の切込みによる引っ掛け突片部２４３が設けられている。この突片部２４３は、上蓋部２４を持ち上げて箱２０を開ける際に、指などを引っ掛ける手掛かりとなる。
【００２７】
底面左側上板部３０の左端前部および底面右側上板部３１の右端前側には、切欠部４６および４７が形成されている。谷折り線ａ１〜ａ１１の折り曲げによって箱を組み立てたときに、底面左側上板部３０と底面右側上板部３１は箱の底板部２１の上に重なる。つまり、箱の内底面を形成する。このとき、切欠部４６と４７が上記係止スリット部４５に重なるようになっている。つまり、係止スリット部４５の上には板部３０，３１が被さらないようになっている。
【００２８】
上記型板を谷折れ線ａ１〜ａ１１に沿って谷折りすることにより、図２に示すような矩形の箱が組み立てられる。図１と図２において、前面側板部２３は、前面左側中板部２８と前面右側中板部２９を挟み込んだ状態で二つ折りされるともに、係止突片部２３３が係止スリット部４５に嵌入して係止されることにより、その二つ折り状態が係止固定される。これによって、箱２０の組み立て状態も係止固定される。
【００２９】
上記構成によれば、箱の底面は２枚重ねの板部２１，３０，３１で形成される。また、その箱の前側面は３枚重ねの板部２３１，２３２，３０，３１で形成されることになる。これにより、組み立て形状が安定かつ強固な収納箱２０が形成される。
【００３０】
図３は、上記収納箱２０に乾電池１０を収納した状態を示す斜視図である。同図において、（ａ）は輸送用包装材としての使用状態を示し、（ｂ）は陳列用容器として野使用状態を示す。
【００３１】
収納箱２０は、（ａ）に示すように、所定数量の乾電池１０を収納する輸送用包装材として使用することができる。一方、小売現場では、輸送用包装材としての機能は不要となる。しかし、小売現場では、上蓋部２４を山折り線ｂ１に沿って前面または背後へ折り返すことにより、２枚重ねの板部２４１、２４２に２組のフック孔４１，４３と４２，４４が貫通する吊り下げ用タブが形成される。
【００３２】
この吊り下げ用タブが形成された収納箱２０は、図４に示すように、内容物である乾電池１０を入れたままフック金具５１に吊るして陳列・販売に供することができる。そして、乾電池を多量にまとめ買いする消費者には収納箱２０ごと販売し、１本あるいは２本と言った小口買いの消費者に対しては、収容箱２０から必要本数だけを取り出して販売すればよい。
【００３３】
図４において、（ａ）は、収納箱２０を吊り下げ陳列した状態を斜視図で示し、（ｂ）はその状態を側面図で示す。同図に示すように、小売現場まで輸送用包装材として使用された乾電池収納箱２０は、内容物である乾電池１０を収納したままの状態で、フック金具５１に掛けて陳列させることができる。このように、本発明の乾電池収納箱２０は、占有スペースが小さくてディスプレイ効果にすぐれた、吊り下げ陳列用容器に流用することができる。
【００３４】
以上のように、本発明による乾電池収納箱２０は、厚紙やダンボール等の型板を折り曲げて組み立てられる箱体の扉状上蓋部２４に、吊り下げ用フック孔４１，４３と４２，４４を設けて、その上蓋部２４に吊り下げ用タブを兼ねさせている。
【００３５】
これにより、乾電池を什器やトレーなどに移して並べ替える手間を生じることなく、かつ余分な陳列スペースを占有することなく、まとめ買いや小口買いの消費者にそれぞれ適切に販売対応できる効率的な商品陳列を可能にする。また、収納箱２０は、輸送用包装材として使用した後、陳列容器として使い続けることができるので、廃棄物の低減にも有効である。
【００３６】
上記実施形態では、上蓋部２４が所定の折り曲げ位置で二つ折りされるとともに、その二つ折り状態で同位置に重なり合う吊り下げ用フック孔４１，４３および４２，４４が形成されている。これにより、たとえば乾電池の収納数量が多い場合でも、それに十分に耐え得る吊り下げ強度を確保することができる。
【００３７】
また、上蓋部２４の吊り下げ用タブを兼ねる部分には、図４に示すように、所望の商品表示印刷４９いわゆるＰＯＰを施すことができる。これにより、陳列・販売のためのディスプレイ効果を高めることができる。
【００３８】
さらに、上記実施形態では、箱体の前面側板部が乾電池１０の収納高さよりも低く形成されるとともに、上蓋部２４の先端側に連接する差し込み片２５で箱体の前面を塞ぐようにしてあるが、これにより、乾電池１０のラベル等を一層見やすくディスプレイ陳列させることができる。また、乾電池１０の取り出しが行いやすくなるという利点も得られる。
【００３９】
以上、本発明をその代表的な実施形態に基づいて説明したが、本発明は上述した以外にも種々の態様が可能である。
【００４０】
たとえば、上述した実施形態では、乾電池収納箱２０の全体が単一の型板で形成されていたが、型板は必ずしも単一枚とする必要はなく、２枚あるいはそれ以上の枚数に分割された型板を組み合せる実施形態も可能である。
【００４１】
また、型板は、厚紙やダンボール等の紙材質（パルプ紙）が好適であるが、紙材質以外の型板の使用も妨げない。
【産業上の利用可能性】
【００４２】
乾電池を什器やトレーなどに移して並べ替える手間を生じることなく、かつ余分な陳列スペースを占有することなく、まとめ買いや小口買いの消費者にそれぞれ適切に販売対応できる効率的な商品陳列を可能にし、さらに廃棄物の低減にも有効な乾電池収納箱を提供できる。
【図面の簡単な説明】
【００４３】
【図１】本発明による乾電池収納箱の一実施形態を示す平面展開図である。
【図２】本発明による乾電池収納箱の組み立て状態を示す斜視図である。
【図３】本発明による乾電池収納箱に乾電池を収納した状態を示す斜視図である。
【図４】本発明による乾電池収納箱の吊り下げ陳列状態を斜視図である。
【符号の説明】
【００４４】
１０  乾電池
２０  乾電池収納箱
２１  底板部
２２  背面側板部
２３  前面側板部
２３１  前面外板部
２３２  前面内板部
２３３  係止突片部
２４  扉状上蓋部
２４１  立ち上げ板部
２４２  折り返し板部
２４３  引っ掛け突片部
２５  差し込み片
２６  左側板部
２７  右側板部
２８  前面左側中板部
２９  前面右側中板部
３０  底面左側上板部
３１  底面右側上板部
４１〜４４  フック孔
４５  係止スリット部
４６，４７  切欠部
４９  商品表示印刷（ＰＯＰ）
５１  フック金具
ａ１〜ａ１１  谷折り線
ｂ１  山折り線
【図１】
2007161280.tif 000003
【図２】
2007161280.tif 000004
【図３】
2007161280.tif 000005
【図４】
2007161280.tif 000006